(57)【要約】【課題】  給紙トレイから繰り出された数枚の用紙が、セパレートローラとこれに所定の分離圧で圧接された分離パッドによって１枚ずつ分離される用紙搬送装置において、分離圧を調整するための分離圧調整ネジを容易且つ確実に調整可能とする手段を提供する。【解決手段】  本用紙搬送装置１は、分離圧調整ネジ１８が分離パッドホルダ１６の直下の搬送装置本体２９に設けられるとともに、コイルスプリング１７の一端が分離圧調整ネジ１８に他端が分離パッドホルダ１６における分離パッド１４から離間した位置にそれぞれ当接され、分離パッドホルダ１６に、分離圧調整ネジ１８のねじ込み量を上方から調整するためのネジ調整用穴２６が設けられたものである。【選択図】  図２
2007276949.tif 000002
【特許請求の範囲】
【請求項１】
搬送すべき用紙が載置される給紙トレイと搬送後の用紙が排出される排紙トレイとを連通する搬送路と、前記用紙トレイから繰り出された複数枚の用紙から１枚を分離して搬送路に繰り込むセパレートローラ及び分離パッドと、前記分離パッドを前記セパレートローラに接離可能に保持する分離パッドホルダと、該分離パッドホルダを付勢して前記分離パッドを前記セパレートローラに所定の分離圧で圧接するコイルスプリングと、ねじ込み量を変化させることにより該コイルスプリングの撓み量を変化させ、分離圧を調整する分離圧調整ネジと、を備えてなる用紙搬送装置において、
前記分離圧調整ネジが前記分離パッドホルダの直下の搬送装置本体に設けられるとともに、前記コイルスプリングの一端が前記分離圧調整ネジに他端が前記分離パッドホルダにおける前記分離パッドから離間した位置にそれぞれ当接され、前記分離パッドホルダに、前記分離圧調整ネジのねじ込み量を上方から調整するためのネジ調整用穴が設けられたことを特徴とする用紙搬送装置。
【請求項２】
前記分離パッドホルダが、前記分離パッドより用紙搬送方向上流側の位置を支点として揺動可能に設けられ、前記コイルスプリングの一端が、前記分離パッドホルダの前記分離パッドより用紙搬送方向下流側の位置に当接されたことを特徴とする請求項１に記載の用紙搬送装置。
【請求項３】
前記コイルスプリングの軸芯が、前記分離圧調整ネジの軸芯と略一致したことを特徴とする請求項１又は２に記載の用紙搬送装置。
【発明の詳細な説明】
【技術分野】
【０００１】
本発明は、給紙トレイにセットされた用紙を排紙トレイへ搬送する用紙搬送装置に関し、特に、給紙トレイから繰り出された複数枚の用紙をセパレートローラと分離パッドでニップして１枚ずつ分離する用紙搬送装置に関する。
【背景技術】
【０００２】
コピー機、ファクス機、スキャナ等は、原稿画像を読み取るための画像読取装置や、原稿から読み取った画像データやファクシミリ受信した画像データを記録紙に記録するための画像形成装置を搭載している。これら画像読取装置や画像形成装置の多くには、給紙トレイにセットされた複数枚の原稿や記録紙を順次搬送して所定の画像読取位置や画像転写位置を経て排紙トレイに排出する用紙搬送装置が設けられる。例えば画像読取装置には、読み取るべき原稿がセットされる原稿トレイから読み取り完了後の原稿が貯留される排紙トレイへと原稿を搬送するいわゆる自動原稿搬送装置（オートドキュメントフィーダー：ＡＤＦ）と呼ばれる用紙搬送装置が設けられる。
【０００３】
このＡＤＦには、原稿トレイに積重された原稿を最上紙から順次繰り出して搬送路へ供給する手段として、原稿トレイ近傍に給紙ユニットが設けられる。図４は、従来例に係る給紙ユニット７０を示す概略縦断面図である（特許文献１参照）。図に示すように、給紙ユニット７０は、駆動軸７１によって回転駆動されるセパレートローラ７２と、駆動軸７１に基端部が支持されたピックアップアーム７３と、該ピックアップアーム７３の先端部に回転自在に軸支されたピックアップローラ７４と、図示しない原稿トレイから繰り出された複数枚の原稿から１枚を分離するための分離パッド７５と、該分離パッド７５をセパレートローラ７２に接離可能に保持する分離パッドホルダ７６と、該分離パッドホルダ７６に隣接して設けられコルクパッド７７が着脱可能に取り付けられた係止カバー７８と、分離パッドホルダ７６と係止カバー７８の下方に支軸７９を支点として揺動自在に設けられた揺動ブラケット８０と、該揺動ブラケット８０の支軸７９を挟んで一端側と分離パッドホルダ７６の間に介在されたコイルスプリング８１と、揺動ブラケット８０の他端側に螺合された分離圧調整ネジ８２と、を備えている。
【０００４】
このように構成される給紙ユニット７０では、コイルスプリング８１が分離パッドホルダ７６を付勢することにより、分離パッド７５が所定の分離圧でセパレートローラ７２に圧接されている。そして、駆動軸７１の回転開始に伴ってピックアップアーム７３が下方へ揺動し、その先端のピックアップローラ７４が原稿に押圧された状態で回転することにより、原稿トレイ上の原稿のうち上から数枚の原稿が繰り出される。繰り出された原稿は、セパレートローラ７２と分離パッド７５のニップ部へ送り込まれ、摩擦力によってそのうち１枚が分離されて搬送路８３へ繰り込まれる。
【０００５】
また、この給紙ユニット７０では、ニップ部において原稿が分離されずに複数枚の原稿が搬送路８３に繰り込まれる分離不良の問題や、原稿が搬送路８３に繰り込まれない繰り込み不良の問題が発生した場合、その分離圧を調整することが可能となっている。すなわち、まず係止カバー７８からコルクパッド７７を取り外し、その下から露呈した貫通穴８４にドライバ等を差し込むことによって分離圧調整ネジ８２を回す。例えば、分離圧が不足している場合、分離圧調整ネジ８２を回して没入させると、これに押圧された揺動ブラケット８０は、分離圧調整ネジ８２側の端部を下降させ且つコイルスプリング８１側の端部を上昇させるように揺動する。これにより、コイルスプリング８１の撓み量が増加してその付勢力が大きくなることにより、分離圧が大きくなる。
【０００６】
図５は、従来例に係る他の給紙ユニット９０を示す概略縦断面図である。図に示すように、この給紙ユニット９０も、セパレートローラ９１と協働して原稿を分離する分離パッド９２と、該分離パッド９２を保持する分離パッドホルダ９３と、該分離パッドホルダ９３を付勢して分離パッド９２を所定の分離圧でセパレートローラ９１に圧接するコイルスプリング９４と、該コイルスプリング９４の撓み量を変化させることにより分離圧を調整するための分離圧調整ネジ９５とを備えるものである。ここで、分離パッドホルダ９３が取り付けられたインナーガイドユニット９６は、支軸９７を支点として回動可能に設けられている。これにより、前記分離不良が発生して分離圧を調整する場合、図５に示すように、インナーガイドユニット９６を上方へ回動させてその底面９６ａを露呈させ、底面に形成された図示しない貫通穴からドライバ等を差し込むことによって分離圧調整ネジ９５を回す。これにより、コイルスプリング９４の撓み量が変化して分離圧が調整されるものとなっている。
【０００７】
【特許文献１】特開２００５−６００９０号公報
【発明の開示】
【発明が解決しようとする課題】
【０００８】
しかし、従来の給紙ユニット７０を備えた用紙搬送装置では、分離圧調整ネジ８２を調整するために係止カバー７８からコルクパッド７７を取り外さなければならず、作業が煩わしいという問題があった。また、分離圧調整ネジ８２の軸芯とコイルスプリング８１の軸芯が一致していないため、分離圧の調整を安定した状態で行うことができない、という問題があった。また、従来の他の給紙ユニット９０を備えた用紙搬送装置では、インナーガイドユニット９６を回動可能な構造とする必要があるため、機構の複雑化及びコストアップを招くという問題があった。
【０００９】
本発明は、このような問題に鑑みてなされたものであり、給紙トレイから繰り出された数枚の用紙が、セパレートローラとこれに所定の分離圧で圧接された分離パッドによって１枚ずつ分離される用紙搬送装置において、分離圧を調整するための分離圧調整ネジを容易且つ確実に調整可能とする手段を提供する。
【課題を解決するための手段】
【００１０】
上記目的を達成するための請求項１記載の用紙搬送装置は、搬送すべき用紙が載置される給紙トレイと搬送後の用紙が排出される排紙トレイとを連通する搬送路と、前記用紙トレイから繰り出された複数枚の用紙から１枚を分離して搬送路に繰り込むセパレートローラ及び分離パッドと、前記分離パッドを前記セパレートローラに接離可能に保持する分離パッドホルダと、該分離パッドホルダを付勢して前記分離パッドを前記セパレートローラに所定の分離圧で圧接するコイルスプリングと、ねじ込み量を変化させることにより該コイルスプリングの撓み量を変化させ、分離圧を調整する分離圧調整ネジと、を備えてなる用紙搬送装置において、前記分離圧調整ネジが前記分離パッドホルダの直下の搬送装置本体に設けられるとともに、前記コイルスプリングの一端が前記分離圧調整ネジに他端が前記分離パッドホルダにおける前記分離パッドから離間した位置にそれぞれ当接され、前記分離パッドホルダに、前記分離圧調整ネジのねじ込み量を上方から調整するためのネジ調整用穴が設けられたものである。
【００１１】
請求項２記載の用紙搬送装置は、前記分離パッドホルダが、前記分離パッドより用紙搬送方向上流側の位置を支点として揺動可能に設けられ、前記コイルスプリングの一端が、前記分離パッドホルダの前記分離パッドより用紙搬送方向下流側の位置に当接されたものである。
【００１２】
請求項３記載の用紙搬送装置は、前記コイルスプリングの軸芯が、前記分離圧調整ネジの軸芯と略一致したものである。
【発明の効果】
【００１３】
本発明に係る用紙搬送装置によれば、分離パッドホルダのネジ調整用穴からドライバ等を差し込んで、コイルスプリングの中空部分を挿通させることにより、分離圧調整ネジのねじ込み量を調整することができる。これにより、分離圧調整ネジの上方を覆う分離パッド等の部材を取り外すことなく、分離圧調整ネジのねじ込み量を調整することができるので、分離圧の調整作業を簡略化することができる。また、用紙搬送装置の機構が複雑化することもない。
【００１４】
また、本発明に係る用紙搬送装置によれば、コイルスプリングによる分離パッドホルダの付勢位置から分離パッドホルダの揺動支点までの距離が、分離パッドから前記揺動支点までの距離より長くなる。従って、コイルスプリングの付勢力の変化量に対して、分離パッドの分離圧の変化量が小さくなるので、分離圧の微調整を行うことが可能となる。
【００１５】
また、本発明に係る用紙搬送装置によれば、分離圧調整ネジの軸芯とコイルスプリングの軸芯が略一致しているので、分離圧の調整を安定した状態で行うことができる。
【発明を実施するための最良の形態】
【００１６】
以下、本発明の実施例に係る用紙搬送装置について図面に基づいて説明する。図１は、用紙搬送装置としてのＡＤＦ１を備えた画像読取装置Ｇの構成を示す概略縦断面図である。本画像読取装置Ｇは、コピー・ファクシミリ複合機等の上部に設けられ、複写しようとする原稿やファクシミリ送信しようとする原稿の画像情報を読み取るために使用するものである。この画像読取装置Ｇは、内部に読取ユニット２を収容し上面にプラテンガラス３が配設されてなる装置本体４と、該装置本体４の上部に開閉可能に設けられた原稿押圧板５とを備えてなるものであり、厚みのあるブック状の原稿Ｐ等を読み取る場合には、原稿押圧板５を開いてプラテンガラス３上に原稿Ｐを載置し、原稿押圧板５を閉じて原稿Ｐをプラテンガラス３に密着させた状態において、読取ユニット２がその下方を移動しながら原稿画像を読み取る。
【００１７】
また、図１に示すように、原稿押圧板５には、読み取るべき原稿Ｐをセットするための原稿トレイ６と、読み取りが完了した原稿Ｐを貯留するための排紙トレイ７と、原稿トレイ６から排紙トレイ７へ原稿Ｐを搬送するＡＤＦ１とが設けられている。そして、シート状の原稿Ｐを複数枚読み取る場合には、原稿トレイ６上に積重された原稿ＰがＡＤＦ１によって順次搬送され、その搬送路８上の読取位置Ｘに待機した読取ユニット２によって原稿画像が読み取られるものとなっている。
【００１８】
ここで、ＡＤＦ１は、図１に示すように、原稿トレイ６と排紙トレイ７を連通する搬送路８と、原稿トレイ６上に積重された原稿Ｐを最上紙から１枚ずつ分離して搬送路８に繰り込む給紙ユニット９と、搬送路８に沿って適宜配設されて原稿Ｐを下流へ搬送する搬送ローラ１０と、搬送路８の最下流端に配設された排出ローラ対１１と、を備えてなるものである。
【００１９】
図２は、図１において給紙ユニット９近傍を拡大した部分拡大断面図である。給紙ユニット９は、原稿トレイ６上の原稿Ｐのうち上から数枚を繰り出すピックアップローラ１２と、該ピックアップローラ１２に対向して配設されたコルクパッド１３と、分離パッド１４と協働して原稿トレイ６から繰り出された数枚の原稿Ｐから最上紙のみを分離するセパレートローラ１５と、分離パッド１４をセパレートローラ１５に接離可能に保持する分離パッドホルダ１６と、分離パッド１４を所定の分離圧でセパレートローラ１５に圧接するコイルスプリング１７と、分離圧の大きさを調整するための分離圧調整ネジ１８と、を具備している。
【００２０】
ピックアップローラ１２は、図２に示すように、回転駆動される駆動軸１９に基端部が支持されたピックアップアーム２０の先端部に回転自在に軸支されるとともに、図示しない伝達機構を介して駆動軸１９の回転駆動力が伝達されるものとなっている。これにより、駆動軸１９の回転開始に伴ってピックアップアーム２０がその先端側を下降させるように揺動し、ピックアップローラ１２が原稿Ｐの最上紙に当接した後、該ピックアップローラ１２が回転を開始することにより、原稿Ｐのうち上から数枚がセパレートローラ１５側に繰り出される。また、原稿トレイ６上の原稿Ｐが残り１枚になった場合には、ピックアップローラ１２とコルクパッド１３とで原稿Ｐがニップされることにより、該原稿Ｐが確実に搬送路８に繰り込まれるようになっている。
【００２１】
セパレートローラ１５は、図２に示すように、回転駆動される駆動軸１９の周囲に、シリコン等からなるローラが回転自在に設けられたものであり、図示しないクラッチ機構を介して、駆動軸１９の正逆回転のうち何れか一方向の回転のみが伝達されるようになっている。これにより、駆動軸１９の回転開始に伴ってセパレートローラ１５も回転を開始し、ピックアップローラ１２によって繰り出された原稿Ｐを搬送路８に繰り込む役割を果たしている。また、分離パッド１４は、原稿Ｐに対する摩擦係数が、セパレートローラ１５の原稿Ｐに対する摩擦係数より低く、且つ、原稿Ｐ同士の摩擦係数より高いものであり、例えばウレタン系樹脂で成型される。
【００２２】
このセパレートローラ１５と分離パッド１４による原稿Ｐの分離について説明する。ピックアップローラ１２によって繰り出された複数枚の原稿Ｐがセパレートローラ１５と分離パッド１４の間にニップされると、複数枚の原稿Ｐのうち最下紙は、下方の分離パッド１４との摩擦力が上方の原稿Ｐとの摩擦力より大きいため、搬送路８側へ送られることなく分離パッド１４上で停止している。また、最下紙と最上紙の間の原稿Ｐは、上方及び下方の原稿Ｐとの摩擦力が釣り合って搬送路８側へ送られることなく停止している。そして、最上紙は、上方のセパレートローラ１５との摩擦力が下方の原稿Ｐとの摩擦力より大きいため、セパレートローラ１５の回転によって搬送路８側へ送られる。これにより、複数枚の原稿Ｐのうち最上紙のみが分離されて順次搬送路８へ繰り込まれる。その後、セパレートローラ１５と分離パッド１４の間の原稿Ｐが１枚だけになると、原稿Ｐは上方のセパレートローラ１５との摩擦力が下方の分離パッド１４との摩擦力より大きいため、セパレートローラ１５の回転によって搬送路８側へ送られる。このようにして、ピックアップローラ１２によって繰り出された複数枚の原稿Ｐの全てが搬送路８へ繰り込まれるものとなっている。
【００２３】
分離パッドホルダ１６は、底面側が開口された中空の部材であるホルダ本体部２１と、該ホルダ本体部２１から突出して設けられた一対の脚部２２とを備えるものである。ホルダ本体部２１には、その脚部２２と逆方向へ突出して一対の規制爪２３が突設されるとともに、その上面に分離パッド１４を貼設するためのパッド受け部２４が凹設されている。また、ホルダ本体部２１の内側面には、バネ受け突起２５が形成されるとともに、このバネ受け突起２５を貫通してホルダ本体部２１の上面、より詳細にはパッド受け部２４より規制爪２３側の位置に達するネジ調整用穴２６が形成されている。また、ホルダ本体部２１における脚部２２側には、分離パッド１４方向へ向かって傾斜する傾斜面２７が形成され、原稿トレイ６上に積重した原稿Ｐが傾斜面２７に沿うようにしてずれることで、密着状態にあった原稿Ｐが捌かれて最上紙を分離しやすくなるようになっている。一方、脚部２２には、そのホルダ本体部２１と逆側の端部に円弧状の揺動軸２８が設けられている。
【００２４】
このように構成される分離パッドホルダ１６は、図２に示すように、そのホルダ本体部２１が、インナーガイドユニット（搬送装置本体）２９におけるセパレートローラ１５の対向位置に形成された凹部３０内に配置されるとともに、各脚部２２の揺動軸２８がインナーガイドユニット２９によって回動可能に支持されることにより、揺動軸２８の位置を支点として揺動可能に取り付けられている。また、図に詳細は示さないが、ホルダ本体部２１の規制爪２３が、凹部３０の壁面に形成された所定幅の溝部に係合されることにより、分離パッドホルダ１６の揺動範囲が一定範囲に規制されている。
【００２５】
分離圧調整ネジ１８は、図２に示すように、ドライバ等を差し込むためのドライバ溝が形成された頭部３１と、該頭部３１の根元部分が周方向に突出してなるフランジ部３２と、ネジが形成された軸部３３と、該軸部３３の所定位置に螺合された取付部３４とを具備するものである。この分離圧調整ネジ１８は、その軸部３３が、凹部３０の底部に形成された挿通穴３５に挿通されるとともに、その取付部３４が凹部３０の底部に固定されることでインナーガイドユニット２９に取り付けられている。これにより、分離圧調整ネジ１８を回して軸部３３の取付部３４に対するねじ込み量を変化させることにより、凹部３０の底部からの突出高さを調整可能となっている。すなわち、分離圧調整ネジ１８をインナーガイドユニット２９に没入させることでフランジ部３２の高さ位置を低くし、フランジ部３２と分離パッドホルダ１６との間隔を大きくすると、コイルスプリング１７の圧縮が解放され、分離圧が小さくなる。逆に、インナーガイドユニット２９から突出させることでフランジ部３２の高さ位置を高くし、フランジ部３２と分離パッドホルダ１６との間隔を小さくすると、コイルスプリング１７が圧縮され、分離圧を大きくすることが可能となっている。
【００２６】
コイルスプリング１７は、図２に示すように、その一端が分離パッドホルダ１６の内側面に突設されたバネ受け突起２５に当接され、他端が分離圧調整ネジ１８の頭部３１を包囲してフランジ部３２に当接されている。これにより、このコイルスプリング１７によって分離パッドホルダ１６が上方向に付勢され、原稿Ｐの非通過時には、分離パッド１４がセパレートローラ１５に所定の分離圧で圧接された状態となっている。そして、原稿トレイ６から繰り出された原稿Ｐが通過する際には、分離パッドホルダ１６は、原稿Ｐから下方への押圧力を受けることにより、コイルスプリング１７の付勢力に抗して揺動軸２８を支点として原稿Ｐの厚み分だけ下方へ揺動する。そして、前述のように、分離パッド１４とセパレートローラ１５によってニップされた複数枚の原稿Ｐから最上紙のみが分離されて搬送路８へ繰り込まれる。
【００２７】
以上のような給紙ユニット９の構成によれば、分離圧が適正な大きさでないために分離不良の問題や繰り込み不良の問題が生じた場合、給紙ユニット９を構成する分離パッドホルダ１６等の部材をインナーガイドユニット２９から取り外すことなく、分離圧の大きさを調整することが可能となっている。例えば、コイルスプリング１７の付勢力が強くて分離圧が大き過ぎる場合、原稿トレイ６から繰り出された原稿Ｐが、セパレートローラ１５と分離パッド１４で強くニップされ過ぎて、搬送路８に繰り込まれない繰り込み不良の問題が生じる。一方、コイルスプリング１７の付勢力が弱くて分離圧が小さ過ぎる場合、原稿トレイ６から繰り出された複数枚の原稿Ｐが分離されることなく搬送路８に繰り込まれる分離不良の問題が生じる。
【００２８】
このような問題を解消すべく分離圧を適正な大きさに調整する場合、図３に示すように、まず図１に示すＡＤＦカバー３６を開いてインナーガイドユニット２９の上面を露呈させる。そして分離パッドホルダ１６のネジ調整用穴２６からドライバＤ等を差し込み、コイルスプリング１７の中空部分を挿通させて、分離圧調整ネジ１８の頭部３１に形成されたドライバ溝に嵌合させる。ここで、例えば分離圧を小さくしたい場合、ドライバＤを回して分離圧調整ネジ１８をインナーガイドユニット２９に没入させることにより、フランジ部３２の高さ位置を低くする。これにより、このフランジ部３２に一端が当接されたコイルスプリング１７が伸張して撓み量が小さくなり、分離パッドホルダ１６に対する付勢力が弱くなる分、分離圧が小さくなる。一方、分離圧を大きくしたい場合、ドライバＤを回して分離圧調整ネジ１８をインナーガイドユニット２９から突出させることにより、フランジ部３２の高さ位置を高くする。これにより、コイルスプリング１７が圧縮されて撓み量が大きくなり、分離パッドホルダ１６に対する付勢力が強くなる分、分離圧が大きくなる。
【００２９】
このように、給紙ユニット９を構成する分離パッド１４等の各部材をインナーガイドユニット２９から取り外すことなく分離圧調整ネジ１８を調整可能としたので、分離圧の調整作業を簡略化することができる。また、分離圧調整ネジ１８の軸芯とコイルスプリング１７の軸芯が略一致しているため、分離圧の調整を安定した状態で行うことができる。
【００３０】
尚、本実施例では分離パッドホルダ１６における分離パッド１４から用紙搬送方向下流側の位置をコイルスプリング１７で付勢しているが、この付勢位置は、分離パッド１４から離間した位置であれば本実施例に限られず適宜設計変更が可能である。また、コイルスプリング１７による分離パッドホルダ１６の付勢位置に応じて、分離圧調整ネジ１８やネジ調整用穴２６の位置を変更することも可能である。しかし、本実施例のように分離パッド１４の下流側部分を付勢すれば、コイルスプリング１７による付勢位置から分離パッドホルダ１６の揺動支点である揺動軸２８までの距離が、分離パッド１４から揺動軸２８までの距離よりも長くなるので、コイルスプリング１７の付勢力変化量に対して分離パッド１４の分離圧変化量が小さくなる。従って、分離圧の微調整が可能になるという利点がある。
【産業上の利用可能性】
【００３１】
本発明に係る用紙搬送装置は、画像読取装置のＡＤＦとしてだけでなく、画像形成装置にも適用可能である。
【図面の簡単な説明】
【００３２】
【図１】本発明の実施例に係る用紙搬送装置１を備えた画像読取装置１の構成を示す概略縦断面図。
【図２】図１における給紙ユニット９近傍を拡大した部分拡大縦断面図。
【図３】分離圧の調整作業を説明するための説明図。
【図４】従来例に係る給紙ユニット７０を示す概略縦断面図。
【図５】従来例に係る他の給紙ユニット９０を示す概略縦断面図。
【符号の説明】
【００３３】
１  ＡＤＦ（用紙搬送装置）
６  原稿トレイ（給紙トレイ）
７  排紙トレイ
８  搬送路
１４  分離パッド
１５  セパレートローラ
１６  分離パッドホルダ
１７  コイルスプリング
１８  分離圧調整ネジ
２６  ネジ調整用穴
２９  インナーガイドユニット（搬送装置本体）
Ｐ  原稿（用紙）
【図１】
2007276949.tif 000003
【図２】
2007276949.tif 000004
【図３】
2007276949.tif 000005
【図４】
2007276949.tif 000006
【図５】
2007276949.tif 000007